【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
画像形成装置から排出されるシートを順次受け取って後処理を行うシート処理装置において、
前記後処理を行うために、一束分のシートを積載するシート束積載手段と、
前記シート束積載部の上流に設けられ、前記画像形成装置から排出される複数枚のシートを滞留させることによって、先行するシートと少なくとも１枚の後続するシートとを重ね合わせるシート滞留手段と、
前記画像形成装置から排出されるシートを受け取って、前記シート滞留手段に搬送するとともに、前記シート滞留手段によって重ね合わされた複数枚のシートを前記シート束積載手段まで搬送するシート搬送手段と、
前記シート滞留手段によって重ね合わされる最後のシートより先行するシートが前記シート搬送手段により所定区間を搬送されるときの搬送時間が前記最後のシートの前記所定区間における搬送時間に比べて短くなるように、前記シート搬送手段を制御する搬送制御手段とを備えることを特徴とするシート処理装置。
【請求項２】
前記搬送制御手段は、前記先行するシートの搬送速度が前記最後のシートの搬送速度より速くなるように、前記シート搬送手段を制御することを特徴とする請求項１記載のシート処理装置。
【請求項３】
前記搬送制御手段は、前記シート滞留手段によって重ね合わされる複数枚のシートの全てに対し、前記所定区間における搬送時間を一定に設定する第１の搬送モード、および前記最後のシートより先行するシートの前記所定区間における搬送時間を前記最後のシートの前記所定区間における搬送時間に比べて短くする第２の搬送モードを有し、前記画像形成装置から排出されるシートの時間間隔に応じて、前記第１の搬送モードと前記第２の搬送モードとの間で切り替えることを特徴とする請求項１記載のシート処理装置。
【請求項４】
前記搬送制御手段は、前記第２の搬送モードにおいて、前記最後のシートより先行するシートの搬送速度が前記最後のシートの搬送速度より速くなるように、前記シート搬送手段を制御することを特徴とする請求項３記載のシート処理装置。
【請求項５】
前記搬送制御手段は、前記第１の搬送モードにおける搬送時間に比べ、前記第２の搬送モードにおける前記最後のシートより先行するシートの搬送時間が短くなるように、前記シート搬送手段を制御することを特徴とする請求項３記載のシート処理装置。
【請求項６】
画像形成装置から排出されるシートを順次受け取って後処理を行うシート処理装置の制御方法であって、
前記シート処理装置は、前記後処理を行うために、一束分のシートを積載するシート束積載手段と、前記シート束積載手段の上流に設けられ、前記画像形成装置から排出される複数枚のシートを滞留させることによって、先行するシートと少なくとも１枚の後続するシートとを重ね合わせるシート滞留手段とを備えており、
前記制御方法は、
前記画像形成装置から排出されるシートを前記シート滞留手段に搬送するシート搬送ステップと、
前記シート搬送ステップで搬送され且つ前記シート滞留手段によって重ね合わされる最後のシートより先行するシートが所定区間を搬送されるときの搬送時間が前記最後のシートの前記所定区間における搬送時間に比べて短くなるように、前記シート搬送ステップでのシート搬送を制御する搬送制御ステップとを有することを特徴とするシート処理装置の制御方法。
【手続補正２】
【補正対象書類名】明細書
【補正対象項目名】発明の名称
【補正方法】変更
【補正の内容】
【発明の名称】シート処理装置及び該シート処理装置の制御方法
【手続補正３】
【補正対象書類名】明細書
【補正対象項目名】０００１
【補正方法】変更
【補正の内容】
【０００１】
本発明は、画像形成装置から排出されるシートを順次受け取って後処理を行うシート処理装置及び該シート処理装置の制御方法に関する。
【手続補正４】
【補正対象書類名】明細書
【補正対象項目名】０００８
【補正方法】変更
【補正の内容】
【０００８】
そこで、本発明は、画像形成装置から排出されるシートの時間間隔が短くなった場合でも、バッファリング時に正確にシートを重ね合わせることができるシート処理装置及び該シート処理装置の制御方法を提供することを目的とする。
【手続補正５】
【補正対象書類名】明細書
【補正対象項目名】０００９
【補正方法】変更
【補正の内容】
【０００９】
上記目的を達成するために、本発明のシート処理装置は、画像形成装置から排出されるシートを順次受け取って後処理を行うシート処理装置において、前記後処理を行うために、一束分のシートを積載するシート束積載手段と、前記シート束積載部の上流に設けられ、前記画像形成装置から排出される複数枚のシートを滞留させることによって、先行するシートと少なくとも１枚の後続するシートとを重ね合わせるシート滞留手段と、前記画像形成装置から排出されるシートを受け取って、前記シート滞留手段に搬送するとともに、前記シート滞留手段によって重ね合わされた複数枚のシートを前記シート束積載手段まで搬送するシート搬送手段と、前記シート滞留手段によって重ね合わされる最後のシートより先行するシートが前記シート搬送手段により所定区間を搬送されるときの搬送時間が前記最後のシートの前記所定区間における搬送時間に比べて短くなるように、前記シート搬送手段を制御する搬送制御手段とを備えることを特徴とする。
上記目的を達成するために、本発明のシート処理装置の制御方法は、画像形成装置から排出されるシートを順次受け取って後処理を行うシート処理装置の制御方法であって、前記シート処理装置は、前記後処理を行うために、一束分のシートを積載するシート束積載手段と、前記シート束積載手段の上流に設けられ、前記画像形成装置から排出される複数枚のシートを滞留させることによって、先行するシートと少なくとも１枚の後続するシートとを重ね合わせるシート滞留手段とを備えており、前記制御方法は、前記画像形成装置から排出されるシートを前記シート滞留手段に搬送するシート搬送ステップと、前記シート搬送ステップで搬送され且つ前記シート滞留手段によって重ね合わされる最後のシートより先行するシートが所定区間を搬送されるときの搬送時間が前記最後のシートの前記所定区間における搬送時間に比べて短くなるように、前記シート搬送ステップでのシート搬送を制御する搬送制御ステップとを有することを特徴とする。
【手続補正６】
【補正対象書類名】明細書
【補正対象項目名】００１０
【補正方法】変更
【補正の内容】
【００１０】
本発明によれば、画像形成装置から排出されるシートの時間間隔が短くなった場合でも、シート滞留手段によるバッファリング時に正確にシートを重ね合わせることができる。したがって、用紙揃えやステイプル等の後処理を行っても、画像形成装置のシート間隔を調整する必要がなく、高い生産性が得られる。
【手続補正７】
【補正対象書類名】明細書
【補正対象項目名】００１２
【補正方法】変更
【補正の内容】
【００１２】
（全体構成）
図１は本発明の実施の形態に係るシート処理装置を含む画像形成装置の構成を示す縦断面図である。この画像形成装置は、画像形成装置本体１０およびフィニッシャ５００から構成される。また、画像形成装置本体１０には、原稿画像を読み取るイメージリーダ２００、プリンタ３００および操作表示装置４００が設けられている。
【手続補正８】
【補正対象書類名】明細書
【補正対象項目名】０１２４
【補正方法】削除
【補正の内容】
【手続補正９】
【補正対象書類名】明細書
【補正対象項目名】０１２５
【補正方法】削除
【補正の内容】
【手続補正１０】
【補正対象書類名】明細書
【補正対象項目名】０１２６
【補正方法】削除
【補正の内容】
【手続補正１１】
【補正対象書類名】明細書
【補正対象項目名】０１２７
【補正方法】削除
【補正の内容】
【手続補正１２】
【補正対象書類名】明細書
【補正対象項目名】０１２８
【補正方法】削除
【補正の内容】
【手続補正１３】
【補正対象書類名】明細書
【補正対象項目名】０１２９
【補正方法】削除
【補正の内容】
【手続補正１４】
【補正対象書類名】明細書
【補正対象項目名】０１３０
【補正方法】削除
【補正の内容】
【手続補正１５】
【補正対象書類名】明細書
【補正対象項目名】０１３１
【補正方法】変更
【補正の内容】
【０１３１】
【図１】本発明の実施の形態に係るシート処理装置を含む画像形成装置の構成を示す縦断面図である。
【図２】画像形成装置全体の制御を司るコントローラの構成を示すブロック図である。
【図３】操作表示装置４００の外観を示す図である。
【図４】操作表示装置４００の表示部４２０上に配置されているソフトキーを示す図である。
【図５】フィニッシャ５００の構成を示す図である。
【図６】フィニッシャ制御部５０１の構成を示すブロック図である。
【図７】処理トレイ６３０上における整合動作を示す図である。
【図８】処理トレイ６３０上における整合動作を示す図である。
【図９】処理トレイ６３０上における整合動作を示す図である。
【図１０】用紙束毎に整合位置を交互に変更した場合、スタックトレイ７００上に積載される各用紙束を示す図である。
【図１１】２ヶ所綴じモードを示す図である。
【図１２】奥側斜め綴じモードを示す図である。
【図１３】手前側斜め綴じモードを示す図である。
【図１４】ノンソートモードにおける用紙の搬送を示す図である。
【図１５】ステイプルソートソートモードにおける用紙の搬送を示す図である。
【図１６】２部目のソート動作における用紙の搬送を示す図である。
【図１７】２部目のソート動作における用紙の搬送を示す図である。
【図１８】用紙束の排出動作を示す図である。
【図１９】用紙束の戻し動作を示す図である。
【図２０】用紙束の戻し動作を示す図である。
【図２１】３枚の用紙を重ね合わせる場合、２部目のソート動作における用紙の搬送を示す図である。
【図２２】３枚の用紙を重ね合わせる場合、２部目のソート動作における用紙の搬送を示す図である。
【図２３】バッファローラ５０５による巻き付け動作を行う際のモータ速度制御を示すタイミングチャートである。
【図２４】ソートモードにおける用紙の搬送を示す図である。
【図２５】ソートモードにおける用紙の搬送を示す図である。
【図２６】動作モード判別処理手順を示すフローチャートである。
【図２７】ステップＳ４におけるノンソート処理手順を示すフローチャートである。
【図２８】ステップＳ５におけるソート処理手順を示すフローチャートである。
【図２９】ステップＳ６におけるステイプルソート処理手順を示すフローチャートである。
【図３０】ステップＳ２４、Ｓ３４におけるソート紙シーケンス処理手順を示すフローチャートである。
【図３１】ステップＳ５８における束排出動作判別処理手順を示すフローチャートである。
【図３２】ステップＳ６４におけるステイプル処理手順を示すフローチャートである。